(57)【要約】　　　（修正有）【課題】本体上面のパンチ装置により、書類等の用紙に、１穴、２穴、４穴の穿孔が行えると共に、本体内のホッチキスにより、紙綴じができる外、引き出し部や、文具入れ器内の文具による、多用途パンチ器を提供する。【解決手段】底板にホッチキス５を取り付けた下部ケース２の上方に、着脱可能に上部ケースを装着し、上部ケース３の天板９に、孔ピッチ８０ｍｍの２個のパンチ孔を設け、このパンチ孔に嵌入する２個のパンチ刃を、下面に設けたパンチハンドル１２を、前記天板上面に回動可能に取り付けると共に、本体の下方内に、引き出し部、及び、本体上方に文具入れ器を装着した。【選択図】　　　　図１
2004106145.tif 000002
【特許請求の範囲】
【請求項１】
底板にホッチキスを取り付けた下部ケースの上方に、着脱可能に上部ケースを装着し、前記上部ケースの天板に、孔ピッチ８０ｍｍの２個のパンチ孔を設け、前記パンチ孔に嵌入する、２個のパンチ刃を下面に設けたパンチハンドルを、基部においてヒンジ部を介して、上部ケースの天板上面に、回動可能に装着してなる多用途パンチ。
【請求項２】
底板に取り付けたホッチキスの両側に、屑受け部を設けると共に、後方に綴じ針等の収納部を設けて成る、多用途パンチの下部ケース。
【請求項３】
天板の上面に穴ピッチ８０ｍｍの２個のパンチ孔を穿設し、前記孔の中心から２８．５ｍｍの内側位置に、指標部を設けると共に、中間位置に表示部を設けて成る多用途パンチの上部ケース。
【請求項４】
上部ケースの天板の前側に、小物入れ部を設けた請求項１記載の多用途パンチの上部ケース。
【請求項５】
下部ケ−スと上部ケースから構成された本体の側面部に、切欠部及び用紙の差込口を設けて成る、請求項１記載の多用途パンチにおける本体。
【請求項６】
下部ケースの内部に、引き出し部を装着した、請求項１記載の多用途パンチ。
【請求項７】
下部ケースと上部ケースにより構成された本体の上方に、文具入れ器を着脱可能に装着した、請求項１記載の多用途パンチ。
【発明の詳細な説明】
【０００１】
【発明の属する技術分野】
本発明は、下部ケースと上部ケースよりなり、下部ケースに装着されたホッチキスによる紙綴じと、上部ケースの上面に設けられたパンチ装置により、用紙に１穴、２穴及び４穴の穿孔が行える外、下部ケースに設けられたパンチ屑受けや、ホッチキス針の収納が可能の外、上部ケースにゼムクリップや、紙切りなどの小物文具も収納できるようにした、多用途パンチに関するものである。
【０００２】
【従来の技術】
従来から用紙に綴じ孔を穿孔するパンチ器具に、用紙を綴じるためのホッチキスを併設して、多機能をはかるための装置として、例えば次に示す文献が開示されている。
【０００３】
【特許文献１】
特開平１１−３００６４９号公報の、発明の名称「多機能パンチホッチキス」がある。
【０００４】
前記特許文献１のものは、簡単な構成により、ホッチキス部による紙綴じと、その下方に設けたパンチ装置部により、１穴、２穴、４穴の穿孔ができるようにしたものである。
【０００５】
【意匠文献２】
次に、平成２年１０月２２日発行の意匠公報に登載の、意匠登録第７９８０５９号の意匠に係る物品「ステップラー，パンチ付レターオープナー」がある。
【０００６】
前記意匠文献２のものは、封書等を開封するレターオープナーの上方に、ステップラー及びパンチを設けたものである。
【０００７】
【意匠文献３】
また、平成２年１月２５日発行の意匠公報に登載の意匠登録第７８００９９号の、意匠に係る物品の「事務用ステープラー付パンチ」がある。
【０００８】
前記のものは事務用パンチに、ステープラーを設けたもので、１台で用紙を綴じたり、穿孔ができるようにしたものである。
【０００９】
【発明が解決しようとする課題】
前記３件のうち特許文献１のものは、上方にホッチキス部を設け、下方にパンチ装置部を形成したもので、パンチ穿孔時に操作上不便な面がある。
【００１０】
次に意匠文献２のものは、レターオープナーの上面に従来から使用されているパンチ器を装着したもので、大型になると共に、操作が面倒である等の問題点がある。
【００１１】
次に意匠文献３の事務用ステープラー付パンチは、パンチ部分とステープラー部分を磁器により結合されたもので、製造及び操作上に問題点があった。
【００１２】
本発明は、上記の問題点や欠点を解消すると共に、ホッチキスで使用する綴じ針や、パンチ屑を収容できるようにした多用途パンチである。
【００１３】
【課題を解決するための手段】
この目的を達成するために、本発明の多用途パンチにおいては、底板にホッチキスを取り付けた、下部ケースの上方に、着脱可能に上部ケースを装着し、前記上部ケースの天板に孔ピッチ８０ｍｍの２個のパンチ孔を設け、前記パンチ孔に嵌入する、２個のパンチ刃を下面に設けたパンチハンドルを、基部において、ヒンジ部を介して、上部ケースの天板上面に回動可能に装着して成るものである。
【００１４】
また、底板に取り付けたホッチキスの両側に、穿孔作業により切断された用紙のパンチ屑を収納する屑受け部を設けると共に、ホッチキスの後方に、綴じ針等の収納部を下部ケースに設けたものである。
【００１５】
更に、上部ケースの天板の上面に、穴ピッチ８０ｍｍの２個のパンチ孔を穿設すると共に、前記孔の中心から２８．５ｍｍの内側位置に、指標部を設けると共に、前記パンチ孔の中間位置に、穿孔用の表示部を設けたものである。
【００１６】
また、上部ケースの天板の前側に事務用品の小物を入れる小物入れ部を設け、必要に応じて蓋を取り付けることもできる。
【００１７】
更に、下部ケースと上部ケースから構成された本体の側面部に、ホッチキスの前部を収容するための切欠部を形成し、また、用紙を綴じる際に、用紙を挿入するための差込口を設けたものである。
【００１８】
また、下部ケースの内部に、引き出し部を装着し、更に多くの多用途をはかるようにしたものである。
【００１９】
また、本体の上方には、各種の筆記具や、ハサミ、カッターナイフなどの文具を収納する、文具入れ器を装着するようにする。
【００２０】
更にまた、前記のものは本体の上方に、文具入れ器を装着したものであるが、本体の下面にも小物文具を入れる容器を、装着することも可能である。
【００２１】
【発明の実施の形態】
【００２２】
【実施例１】
以下図面を参照して本発明の実施例１について説明する。図１は本発明に係る多用途パンチの斜視図、図２は下部ケースの平面図、図３は図１に示す本体の縦断面図、図４は本体１上面のパンチハンドルを開いた状態の平面図、図５は４穴の穿孔状態を示すＡ４判用紙２４の平面図である。
【００２３】
本体１は下部ケース２と上部ケース３から成り、下部ケース２には、図２及び図３に示すように、底板４に小型のホッチキス５が装着されており、押圧カバー６の上面は、本体１の上面とほぼ同一の高さに構成されている。
【００２４】
下部ケース２に装着されえたホッチキス５の両側には、図２に示すようにパンチ屑受け部７が形成され、更に後方には、ホッチキスに用いる綴り針等を収容する、収納部８が設けられている。
【００２５】
次にこの下部ケース２の上方に、着脱自在に装着される上部ケース３は、図１に示すように、上部ケース３の側面及び天板７の一部を切り欠いて切欠き部２７を設け、ホッチキス５の上方部分が嵌入できるようにする。
【００２６】
上部ケース３の天板９の上面には、図４に示すように、２個のヒンジ部１０を形成し、このヒンジ部１０に、下面に２個のパンチ刃１１を装着した、パンチハンドル１２の掛止部１３を掛止して、パンチハンドル１２を回動可能に掛止する。
【００２７】
更に前記ヒンジ部１０の手前側には、孔ピッチ８０ｍｍの２個のパンチ孔１４を穿設すると共に、同パンチ孔１４の近くに穿孔作業時に、用紙を天板９の上面側に抑止する抑止片１５を形成し、更に前記２個のパンチ孔１４の中間に、中心位置を示す三角形の表示部１６を設ける。
【００２８】
次に、Ａ４判用紙２４に４穴の穿孔を行うために図４に示す２個のパンチ孔１４の中心から、それぞれ内側の２８．５ｍｍの位置に、Ａ４判用紙２４の端部を位置させるための指標部１７・１７を設ける。
【００２９】
また天板９の前側には、図３に示すように凹部Ａを形成し、ゼムクリップなどの事務用小物を収容する、小物入れ部１８を設け、その上方に小物入れ蓋１９を後部に設けたヒンジ部（図示なし）により開閉可能に装着する。
【００３０】
なお、図において、２０は下部ケース２と、上部ケース３側面の、接合部に設けた用紙の差込口、２１はパンチハンドル１２に設けた溝穴、２２は用紙の挿入口、２３はパンチハンドル１２の上面に設けた押圧部である。
【００３１】
本発明の多用途パンチの実施例１は以上のように構成されているので、まず書類やカード等の用紙に、１穴のパンチ孔を穿孔するには、図４に示すパンチハンドル１２を上方に開放した状態で、穿孔する用紙を左右いずれかのパンチ孔１４近くの、抑止片１５の下面の用紙の挿入口２２に用紙を挿入したあと、パンチハンドル１２を下方に回動する。
【００３２】
そして用紙が挿入されている方の、パンチ孔１４に嵌入するパンチ刃１１の上面に設けた、パンチハンドル１２の上面の、図１に示す押圧部２３の上を下方に押圧すれば、パンチハンドル１２の下面に装着されているパンチ刃１１が挿入された用紙を切断しながら、パンチ孔１４に嵌入して、用紙を穿孔する。
【００３３】
そして穿孔が終って、用紙を取り出すには、再度パンチハンドル１２を、図４のごとく上方に回動すると、パンチ刃１１が食い込んでいる用紙が、共に上方に回動しようとするが、抑止片１５により抑止され、挿入口２２内に残るため、簡単に用紙を取り出すことができ、穿孔された用紙を、リング等に綴じることができる。
【００３４】
次に、用紙に２穴の穿孔を行うには、図４の状態で、天板９の上面に形成された、２箇所の用紙の挿入口２２に用紙を挿入し、用紙の中心位置を、表示部１６に合わせた後、パンチハンドル１２を下方に回動して、パンチハンドル１２の上面を押圧すれば、下面に装着された２個のパンチ刃１１が用紙を穿孔しながら、パンチ孔１４内に嵌入して用紙を穿孔する。
【００３５】
穿孔終了後、パンチハンドル１２を図４の如く上方に回動すれば、前記のごとく挿入口２２内に残った用紙が簡単に取り出され、用紙の端部には、規定の孔ピッチ８０ｍｍの綴じ孔が穿孔されて、ファイル等に綴じ込むことができる。
【００３６】
次に図５に示すＡ４判用紙２４に、４穴の穿孔を行う状態を説明する。Ａ４判用紙の規格サイズは、図５に示すとおり、２１０ｍｍ×２９７ｍｍで、上側の２１０ｍｍの部分には、通常２穴の穿孔を行って綴じ込んでいるが、左側の２９７ｍｍの部分には、２穴及び４穴の穿孔を行って、２穴及び４穴用のファイルに綴じている。穴ピッチは３箇所とも図５に示すように、８０ｍｍで、上下の中心から、紙の端までは２８．５ｍｍの規格となっている。
【００３７】
このＡ４判用紙に、２穴及び４穴の穿孔を行うには、図５に示すＡ４判用紙２４を、二つ折りにする等により、中心位置２５を選定した後、用紙２４を図４に示す二つの挿入口２２に挿入し、前記中心位置２５を表示部１６に合わせ、パンチハンドル１２を下方に回動して上面を押圧すれば、穴ピッチ８０ｍｍの２穴の穿孔が行える。
【００３８】
次に、このＡ４判用紙２４に４穴の穿孔を行うには、２穴が穿孔された用紙２４を、図４において左方に移動させ、上辺部２６を左側の指標部１７に合わせてから、パンチハンドル１２を下方に回動し、図１において、先方の押圧部２３上を押圧して穿孔を行ってから、用紙２４を取り出す。
【００３９】
そして次に、用紙２４を裏返して、図５に示す用紙２４の下辺部４１を、前記と同様に指標部１７に合わせてから、パンチハンドル１２の回動により、前述のごとく、用紙２４に穿孔を行って、挿入口２２から用紙２４を取り出せば、図５に示すごとく、Ａ４判用紙２４に規格通りの４穴の穿孔が行えるもので、これにより、４リングファイル帳等に綴じることができるものである。
【００４０】
以上本発明に係る、多用途パンチの実施例１による用紙の穿孔について説明したが、穿孔された、各用紙のパンチ屑は、図２に示す下部ケース２に設けられた２個の、屑受け部７内に落下して収容されるので、机上等を汚すことがなく、必要に応じて屑篭等に捨てればよい。
【００４１】
次に本発明多用途パンチの特徴である、ホッチキス５による紙綴じについて説明する。図３に示すように、ホッチキス５は、下部ケース２の底板４に、ホッチキス５のベース２８が取り付けられ、上方のフレーム２９や、押圧カバー６等は後部の枢軸３０により回動可能に装着されている。
【００４２】
上記のように構成されているホッチキス５により、書類等の用紙を綴じるには、図１及び図３に示す、本体１の側面に設けられている、用紙の差込口２０に用紙を差し込んで、ホッチキス５の押圧カバー６の上面を押し下げれば、押圧カバー６の下側に取り付けられている押刃３１が、フレーム２９内に装着されている綴針（図示なし）を押し出して、差込口２０内に挿入されている用紙を綴じるものである。
【００４３】
紙綴じ終了後押圧カバー６への押圧を解けば、板バネ３２のバネ力により押圧カバー６及びフレーム２９が上昇し、差込口２０内の綴じられた用紙を取り出すことができるものである。
【００４４】
【実施例２】
次に図６に示す実施例２について説明する。この実施例２は、下部ケース２の内部にクリップや消しゴム、シャープペンシル芯などの、小物文具を収納できる、引き出し部３３を装着したものである。
【００４５】
引き出し部３３は、図６に示すように本体１下部の下部ケース２の左側に設けられた引き出し口３４から出し入れ自由に挿入されている。引き出し部３３は、図６に示すように仕切壁３５により適宜に仕切られ、小物文具を整理するようにしてある。なお図において３６は、指先の差し込口で引き出し部３３を引き出すとき、指先を差し込んで引き出し部３３を引き出すのに利用する。
【００４６】
以上説明したようにこの実施例２では、本体１の側面に引き出し部３３を装着したので、散乱しやすい小物文具を整理整頓し、必要に応じ引き出し部３３を引き出して、直ちに使用できるので、極めて便利である。
【００４７】
【実施例３】
次に図７に示す実施例３について説明する。この実施例３は、本発明の多用途パンチの本体１の上方に、筆記具等の各種文具を収納する、文具入れ器３７を、着脱可能に設けたもので、各種の事務処理に対応できるようにしたものである。
【００４８】
文具入れ器３７は、図１に示す本体１の上方に、着脱可能に装着できるように、図７の下縁部３８を、図１に示す本体１の上縁部３９より少し大きく構成して、本体１上に嵌合できるようにする。文具入れ器３７の筒状部４０の内部には、各種筆記具や、ハサミ、カッターナイフ等を整理しやすくするため、仕切り壁３５で区分するようにする。
【００４９】
これにより、パンチ刃による穿孔と、ホッチキスによる紙綴じの外、各種文具の収納により、広範囲の事務処理が可能になり、事務能率の向上をはかることができる。
なお、図７において、下部ケース２の外周は上部ケース３の下方より周囲を大きく構成してある。
【００５０】
【其の他の実施例】
以上本発明に係る、多用途パンチの実施例について説明したが、前記実施例に限るものではない。例えば、実施例２において、下部ケース２の内部に小物文具を収納する引き出し部３３を装着するようにしたが、これを２段に設けても良く、またこれとは別に、更に、小物入れを設けたケースを、下部ケース２の下面に着脱できるように装着してもよく、更にこのケースに、鉛筆削り器其の他の事務器具を取り付けても良い。
【００５１】
また図４に示す、上部ケース３の天板９の上面に、ヒンジ部１０を介してパンチハンドル１２が、回動可能に装着されているが、このパンチハンドル１２の無用な回動を防止するために、ハンドルパンチ１２と天板９との間に、係止装置を設けることもできる。
【００５２】
なお、前述の各実施例において、本体１の形状を円形に形成してあるが、本体１の形状は、円形に限るものではなく、四角形及び、五角形、六角形、並びに八角形等でもよく、更に楕円状でも良い。
【００５３】
【発明の効果】
本発明は、以上説明したように構成されているので、以下に記載されるような効果を奏する。
【００５４】
一台でパンチ装置部による穿孔と、ホッチキス部による紙綴じができるので、極めて便利で、事務能率の向上をはかることができる。
【００５５】
また穿孔については、１穴・２穴の穿孔の外、天板上に設けた、指標部を活用することにより、Ａ４判用紙に、規定の４穴の穿孔もできるので、各種類のファイルに綴じることができる。
【００５６】
なお、下部ケースに取り付けたホッチキスにより、書類やカード等を簡単に綴じることができるので、事務処理に都合が良い。
【００５７】
また、下部ケース内に小物の事務用品を収容できる引き出しを装着したので、事務処理がスムーズに行える。
【００５８】
さらに、本体上面に、各種の筆記具や、ハサミ、カッターナイフなどを収納できる、文具入れ器を着脱可能に装着したので、種々の事務処理に適応でき、能率向上に役立つものである。
【００５９】
なお本発明の多用途パンチは、多くの用途ができるにもかかわらず、構成が簡単なため、部品や資材が少なく、製造組立てが容易なため、安価に提供できる等の利点がある。
【図面の簡単な説明】
【図１】本発明多用途パンチ本体の斜視図である。
【図２】下部ケースの平面図である。
【図３】本体の縦断面図である。
【図４】本体上面に取り付けた、パンチハンドルを開いた状態の平面図である。
【図５】４穴の穿孔状態を示す、Ａ４判用紙の平面図である。
【図６】本体の下部に、引き出し部を装着した状態の斜視図である。
【図７】本体の上面に文具入れ器を装着した状態の斜視図である。
【符号の説明】
１　　本体
２　　下部ケース
３　　上部ケース
４　　底板
５　　ホッチキス
６　　押圧カバー
７　　屑受け部
８　　収納部
９　　天板
１１　　パンチ刃
１２　　パンチハンドル
１４　　パンチ孔
１６　　表示部
１７　　指標部
２０　　差込口
２３　　押圧部
２４　　Ａ４判用紙
２７　　切欠部
２８　　ベース
３１　　押刃
３３　　引き出し部
３５　　仕切壁
３７　　文具入れ器
４０　　筒状部
【図１】
2004106145.tif 000003
【図２】
2004106145.tif 000004
【図３】
2004106145.tif 000005
【図４】
2004106145.tif 000006
【図５】
2004106145.tif 000007
【図６】
2004106145.tif 000008
【図７】
2004106145.tif 000009
【手続補正書】
【提出日】平成15年5月30日(2003.5.30)
【手続補正１】
【補正対象書類名】明細書
【補正対象項目名】全文
【補正方法】変更
【補正の内容】
【特許請求の範囲】
【請求項１】多用途パンチの本体（１）を下部ケース（２）と、上部ケース（３）により構成し、下部ケース（２）の底板（４）に、ステープラー（５）を取付け、前記ステープラー（５）の両側に屑受け部（７）・（７）を設けると共に、ステープラー（５）の前部に、用紙の差込口（２０）を形成すると共に、下部ケース（２）の上方に、天板（９）を形成した上部ケース（３）を着脱可能に装着し、前記天板（９）の一部を切欠いて、ステープラー（５）の押圧カバー（６）が出没できるように構成し、前記天板（９）に、２個のパンチ孔（１４）を設けると共に、前記パンチ孔（１４）の中間部に、表示部（１６）及び指標部（１７）を設け、更に天板（９）の上方に、前記パンチ孔（１４）に嵌入する、２個のパンチ刃（１１）を、下面に設けたパンチハンドル（１２）を、前記天板（９）の上面に、回動可能に装着すると共に、前記押圧カバー（６）と、パンチハンドル（１２）の上面が、ほぼ一定の高さになるように構成した多用途パンチ。
【請求項２】下部ケース（２）の底板（４）に取り付けたステープラー（５）の両側に、パンチ屑受け部（７）・（７）を設け、前記ステープラー（５）の後方に綴じ針等の収納部（８）を設けて成る、請求項１記載の多用途パンチ。
【請求項３】上部ケース（３）の天板（９）の上面に穴ピッチ８０ｍｍの２個のパンチ孔（１４）を穿設し、前記パンチ孔の中心から２８．５ｍｍの内側位置に、指標部（１７）を設けると共に、その中間位置に表示部（１６）を設けて成る、請求項１又は２記載の多用途パンチ。
【請求項４】上部ケース（３）の天板（９）の前側に、小物入れ部（１８）を設けた、請求項１−３のいずれかに記載の多用途パンチ。
【請求項５】下部ケース（２）の内部に、引き出し部（３３）を装着した、請求項１−４のいずれかに記載の多用途パンチ。
【請求項６】下部ケース（２）と上部ケース（３）により構成された本体（１）の上方に、文具入れ器（３７）を着脱可能に装着した、請求項１−５のいずれかに記載の多用途パンチ。
【発明の詳細な説明】
【０００１】
【発明の属する技術分野】
本発明は、下部ケースと上部ケースよりなり、下部ケースに装着されたステープラーによる紙綴じと、上部ケースの上面に設けられたパンチ装置により、用紙に１穴、２穴及び４穴の穿孔が行える外、下部ケースに設けられたパンチ屑受けや、ステープラー針の収納が可能の外、上部ケースにゼムクリップや、紙切りなどの小物文具も収納できるようにした、多用途パンチに関するものである。
【０００２】
【従来の技術】
従来から用紙に綴じ孔を穿孔するパンチ器具に、用紙を綴じるためのステープラーを併設して、多機能をはかるための装置として、例えば次に示す文献が開示されている。
【０００３】
【特許文献１】
特開平１１−３００６４９号公報の、発明の名称「多機能パンチホッチキス」がある。
【０００４】
前記特許文献１のものは、簡単な構成により、ステープラー部による紙綴じと、その下方に設けたパンチ装置部により、１穴、２穴、４穴の穿孔ができるようにしたものである。
【０００５】
【意匠文献２】
次に、平成２年１０月２２日発行の意匠公報に登載の、意匠登録第７９８０５９号の意匠に係る物品「ステップラー，パンチ付レターオープナー」がある。
【０００６】
前記意匠文献２のものは、封書等を開封するレターオープナーの上方に、ステップラー及びパンチを設けたものである。
【０００７】
【意匠文献３】
また、平成２年１月２５日発行の意匠公報に登載の意匠登録第７８００９９号の、意匠に係る物品の「事務用ステープラー付パンチ」がある。
【０００８】
前記のものは事務用パンチに、ステープラーを設けたもので、１台で用紙を綴じたり、穿孔ができるようにしたものである。
【０００９】
【発明が解決しようとする課題】
前記３件のうち特許文献１のものは、上方にステープラー部を設け、下方にパンチ装置部を形成したもので、パンチ穿孔時に操作上不便な面がある。
【００１０】
次に意匠文献２のものは、レターオープナーの上面に従来から使用されているパンチ器を装着したもので、大型になると共に、操作が面倒である等の問題点がある。
【００１１】
次に意匠文献３の事務用ステープラー付パンチは、パンチ部分とステープラー部分を磁器により結合されたもので、製造及び操作上に問題点があった。
【００１２】
本発明は、上記の問題点や欠点を解消すると共に、ステープラーで使用する綴じ針や、パンチ屑を収容できるようにした多用途パンチである。
【００１３】
【課題を解決するための手段】
この目的を達成するために、本発明の多用途パンチにおいては、底板にステープラーを取り付けた、下部ケースの上方に、着脱可能に上部ケースを装着し、前記上部ケースの天板に孔ピッチ８０ｍｍの２個のパンチ孔を設け、前記パンチ孔に嵌入する、２個のパンチ刃を下面に設けたパンチハンドルを、基部において、ヒンジ部を介して、上部ケースの天板上面に回動可能に装着して成るものである。
【００１４】
また、底板に取り付けたステープラーの両側に、穿孔作業により切断された用紙のパンチ屑を収納する屑受け部を設けると共に、ステープラーの後方に、綴じ針等の収納部を下部ケースに設けたものである。
【００１５】
更に、上部ケースの天板の上面に、穴ピッチ８０ｍｍの２個のパンチ孔を穿設すると共に、前記孔の中心から２８．５ｍｍの内側位置に、指標部を設けると共に、前記パンチ孔の中間位置に、穿孔用の表示部を設けたものである。
【００１６】
また、上部ケースの天板の前側に事務用品の小物を入れる小物入れ部を設け、必要に応じて蓋を取り付けることもできる。
【００１７】
更に、下部ケースと上部ケースから構成された本体の側面部に、ステープラーの前部を収容するための切欠部を形成し、また、用紙を綴じる際に、用紙を挿入するための差込口を設けたものである。
【００１８】
また、下部ケースの内部に、引き出し部を装着し、更に多くの多用途をはかるようにしたものである。
【００１９】
また、本体の上方には、各種の筆記具や、ハサミ、カッターナイフなどの文具を収納する、文具入れ器を装着するようにする。
【００２０】
更にまた、前記のものは本体の上方に、文具入れ器を装着したものであるが、本体の下面にも小物文具を入れる容器を、装着することも可能である。
【００２１】
【発明の実施の形態】
【００２２】
【実施例１】
以下図面を参照して本発明の実施例１について説明する。図１は本発明に係る多用途パンチの斜視図、図２は下部ケースの平面図、図３は図１に示す本体の縦断面図、図４は本体１上面のパンチハンドルを開いた状態の平面図、図５は４穴の穿孔状態を示すＡ４判用紙２４の平面図である。
【００２３】
本体１は下部ケース２と上部ケース３から成り、下部ケース２には、図２及び図３に示すように、底板４に小型のステープラー５が装着されており、押圧カバー６の上面は、本体１の上面とほぼ同一の高さに構成されている。
【００２４】
下部ケース２に装着されえたステープラー５の両側には、図２に示すようにパンチ屑受け部７が形成され、更に後方には、ステープラーに用いる綴り針等を収容する、収納部８が設けられている。
【００２５】
次にこの下部ケース２の上方に、着脱自在に装着される上部ケース３は、図１に示すように、上部ケース３の側面及び天板７の一部を切り欠いて切欠き部２７を設け、ステープラー５の上方部分が嵌入できるようにする。
【００２６】
上部ケース３の天板９の上面には、図４に示すように、２個のヒンジ部１０を形成し、このヒンジ部１０に、下面に２個のパンチ刃１１を装着した、パンチハンドル１２の掛止部１３を掛止して、パンチハンドル１２を回動可能に掛止する。
【００２７】
更に前記ヒンジ部１０の手前側には、孔ピッチ８０ｍｍの２個のパンチ孔１４を穿設すると共に、同パンチ孔１４の近くに穿孔作業時に、用紙を天板９の上面側に抑止する抑止片１５を形成し、更に前記２個のパンチ孔１４の中間に、中心位置を示す三角形の表示部１６を設ける。
【００２８】
次に、Ａ４判用紙２４に４穴の穿孔を行うために図４に示す２個のパンチ孔１４の中心から、それぞれ内側の２８．５ｍｍの位置に、Ａ４判用紙２４の端部を位置させるための指標部１７・１７を設ける。
【００２９】
また天板９の前側には、図３に示すように凹部Ａを形成し、ゼムクリップなどの事務用小物を収容する、小物入れ部１８を設け、その上方に小物入れ蓋１９を後部に設けたヒンジ部（図示なし）により開閉可能に装着する。
【００３０】
なお、図において、２０は下部ケース２と、上部ケース３側面の、接合部に設けた用紙の差込口、２１はパンチハンドル１２に設けた溝穴、２２は用紙の挿入口、２３はパンチハンドル１２の上面に設けた押圧部である。
【００３１】
本発明の多用途パンチの実施例１は以上のように構成されているので、まず書類やカード等の用紙に、１穴のパンチ孔を穿孔するには、図４に示すパンチハンドル１２を上方に開放した状態で、穿孔する用紙を左右いずれかのパンチ孔１４近くの、抑止片１５の下面の用紙の挿入口２２に用紙を挿入したあと、パンチハンドル１２を下方に回動する。
【００３２】
そして用紙が挿入されている方の、パンチ孔１４に嵌入するパンチ刃１１の上面に設けた、パンチハンドル１２の上面の、図１に示す押圧部２３の上を下方に押圧すれば、パンチハンドル１２の下面に装着されているパンチ刃１１が挿入された用紙を切断しながら、パンチ孔１４に嵌入して、用紙を穿孔する。
【００３３】
そして穿孔が終って、用紙を取り出すには、再度パンチハンドル１２を、図４のごとく上方に回動すると、パンチ刃１１が食い込んでいる用紙が、共に上方に回動しようとするが、抑止片１５により抑止され、挿入口２２内に残るため、簡単に用紙を取り出すことができ、穿孔された用紙を、リング等に綴じることができる。
【００３４】
次に、用紙に２穴の穿孔を行うには、図４の状態で、天板９の上面に形成された、２箇所の用紙の挿入口２２に用紙を挿入し、用紙の中心位置を、表示部１６に合わせた後、パンチハンドル１２を下方に回動して、パンチハンドル１２の上面を押圧すれば、下面に装着された２個のパンチ刃１１が用紙を穿孔しながら、パンチ孔１４内に嵌入して用紙を穿孔する。
【００３５】
穿孔終了後、パンチハンドル１２を図４の如く上方に回動すれば、前記のごとく挿入口２２内に残った用紙が簡単に取り出され、用紙の端部には、規定の孔ピッチ８０ｍｍの綴じ孔が穿孔されて、ファイル等に綴じ込むことができる。
【００３６】
次に図５に示すＡ４判用紙２４に、４穴の穿孔を行う状態を説明する。Ａ４判用紙の規格サイズは、図５に示すとおり、２１０ｍｍ×２９７ｍｍで、上側の２１０ｍｍの部分には、通常２穴の穿孔を行って綴じ込んでいるが、左側の２９７ｍｍの部分には、２穴及び４穴の穿孔を行って、２穴及び４穴用のファイルに綴じている。穴ピッチは３箇所とも図５に示すように、８０ｍｍで、上下の中心から、紙の端までは２８．５ｍｍの規格となっている。
【００３７】
このＡ４判用紙に、２穴及び４穴の穿孔を行うには、図５に示すＡ４判用紙２４を、二つ折りにする等により、中心位置２５を選定した後、用紙２４を図４に示す二つの挿入口２２に挿入し、前記中心位置２５を表示部１６に合わせ、パンチハンドル１２を下方に回動して上面を押圧すれば、穴ピッチ８０ｍｍの２穴の穿孔が行える。
【００３８】
次に、このＡ４判用紙２４に４穴の穿孔を行うには、２穴が穿孔された用紙２４を、図４において左方に移動させ、上辺部２６を左側の指標部１７に合わせてから、パンチハンドル１２を下方に回動し、図１において、先方の押圧部２３上を押圧して穿孔を行ってから、用紙２４を取り出す。
【００３９】
そして次に、用紙２４を裏返して、図５に示す用紙２４の下辺部４１を、前記と同様に指標部１７に合わせてから、パンチハンドル１２の回動により、前述のごとく、用紙２４に穿孔を行って、挿入口２２から用紙２４を取り出せば、図５に示すごとく、Ａ４判用紙２４に規格通りの４穴の穿孔が行えるもので、これにより、４リングファイル帳等に綴じることができるものである。
【００４０】
以上本発明に係る、多用途パンチの実施例１による用紙の穿孔について説明したが、穿孔された、各用紙のパンチ屑は、図２に示す下部ケース２に設けられた２個の、屑受け部７内に落下して収容されるので、机上等を汚すことがなく、必要に応じて屑篭等に捨てればよい。
【００４１】
次に本発明多用途パンチの特徴である、ステープラー５による紙綴じについて説明する。図３に示すように、ステープラー５は、下部ケース２の底板４に、ステープラー５のベース２８が取り付けられ、上方のフレーム２９や、押圧カバー６等は後部の枢軸３０により回動可能に装着されている。
【００４２】
上記のように構成されているステープラー５により、書類等の用紙を綴じるには、図１及び図３に示す、本体１の側面に設けられている、用紙の差込口２０に用紙を差し込んで、ステープラー５の押圧カバー６の上面を押し下げれば、押圧カバー６の下側に取り付けられている押刃３１が、フレーム２９内に装着されている綴針（図示なし）を押し出して、差込口２０内に挿入されている用紙を綴じるものである。
【００４３】
紙綴じ終了後押圧カバー６への押圧を解けば、板バネ３２のバネ力により押圧カバー６及びフレーム２９が上昇し、差込口２０内の綴じられた用紙を取り出すことができるものである。
【００４４】
【実施例２】
次に図６に示す実施例２について説明する。この実施例２は、下部ケース２の内部にクリップや消しゴム、シャープペンシル芯などの、小物文具を収納できる、引き出し部３３を装着したものである。
【００４５】
引き出し部３３は、図６に示すように本体１下部の下部ケース２の左側に設けられた引き出し口３４から出し入れ自由に挿入されている。引き出し部３３は、図６に示すように仕切壁３５により適宜に仕切られ、小物文具を整理するようにしてある。なお図において３６は、指先の差し込口で引き出し部３３を引き出すとき、指先を差し込んで引き出し部３３を引き出すのに利用する。
【００４６】
以上説明したようにこの実施例２では、本体１の側面に引き出し部３３を装着したので、散乱しやすい小物文具を整理整頓し、必要に応じ引き出し部３３を引き出して、直ちに使用できるので、極めて便利である。
【００４７】
【実施例３】
次に図７に示す実施例３について説明する。この実施例３は、本発明の多用途パンチの本体１の上方に、筆記具等の各種文具を収納する、文具入れ器３７を、着脱可能に設けたもので、各種の事務処理に対応できるようにしたものである。
【００４８】
文具入れ器３７は、図１に示す本体１の上方に、着脱可能に装着できるように、図７の下縁部３８を、図１に示す本体１の上縁部３９より少し大きく構成して、本体１上に嵌合できるようにする。文具入れ器３７の筒状部４０の内部には、各種筆記具や、ハサミ、カッターナイフ等を整理しやすくするため、仕切り壁３５で区分するようにする。
【００４９】
これにより、パンチ刃による穿孔と、ステープラーによる紙綴じの外、各種文具の収納により、広範囲の事務処理が可能になり、事務能率の向上をはかることができる。
なお、図７において、下部ケース２の外周は上部ケース３の下方より周囲を大きく構成してある。
【００５０】
【其の他の実施例】
以上本発明に係る、多用途パンチの実施例について説明したが、前記実施例に限るものではない。例えば、実施例２において、下部ケース２の内部に小物文具を収納する引き出し部３３を装着するようにしたが、これを２段に設けても良く、またこれとは別に、更に、小物入れを設けたケースを、下部ケース２の下面に着脱できるように装着してもよく、更にこのケースに、鉛筆削り器其の他の事務器具を取り付けても良い。
【００５１】
また図４に示す、上部ケース３の天板９の上面に、ヒンジ部１０を介してパンチハンドル１２が、回動可能に装着されているが、このパンチハンドル１２の無用な回動を防止するために、ハンドルパンチ１２と天板９との間に、係止装置を設けることもできる。
【００５２】
なお、前述の各実施例において、本体１の形状を円形に形成してあるが、本体１の形状は、円形に限るものではなく、四角形及び、五角形、六角形、並びに八角形等でもよく、更に楕円状でも良い。
【００５３】
【発明の効果】
本発明は、以上説明したように構成されているので、以下に記載されるような効果を奏する。
【００５４】
一台でパンチ装置部による穿孔と、ステープラー部による紙綴じができるので、極めて便利で、事務能率の向上をはかることができる。
【００５５】
また穿孔については、１穴・２穴の穿孔の外、天板上に設けた、指標部を活用することにより、Ａ４判用紙に、規定の４穴の穿孔もできるので、各種類のファイルに綴じることができる。
【００５６】
なお、下部ケースに取り付けたステープラーにより、書類やカード等を簡単に綴じることができるので、事務処理に都合が良い。
【００５７】
また、下部ケース内に小物の事務用品を収容できる引き出しを装着したので、事務処理がスムーズに行える。
【００５８】
さらに、本体上面に、各種の筆記具や、ハサミ、カッターナイフなどを収納できる、文具入れ器を着脱可能に装着したので、種々の事務処理に適応でき、能率向上に役立つものである。
【００５９】
なお本発明の多用途パンチは、多くの用途ができるにもかかわらず、構成が簡単なため、部品や資材が少なく、製造組立てが容易なため、安価に提供できる等の利点がある。
【図面の簡単な説明】
【図１】本発明多用途パンチ本体の斜視図である。
【図２】下部ケースの平面図である。
【図３】本体の縦断面図である。
【図４】本体上面に取り付けた、パンチハンドルを開いた状態の平面図である。
【図５】４穴の穿孔状態を示す、Ａ４判用紙の平面図である。
【図６】本体の下部に、引き出し部を装着した状態の斜視図である。
【図７】本体の上面に文具入れ器を装着した状態の斜視図である。
【符号の説明】
１　　本体
２　　下部ケース
３　　上部ケース
４　　底板
５　　ステープラー
６　　押圧カバー
７　　屑受け部
８　　収納部
９　　天板
１１　　パンチ刃
１２　　パンチハンドル
１４　　パンチ孔
１６　　表示部
１７　　指標部
２０　　差込口
２３　　押圧部
２４　　Ａ４判用紙
２７　　切欠部
２８　　ベース
３１　　押刃
３３　　引き出し部
３５　　仕切壁
３７　　文具入れ器
４０　　筒状部


【手続補正２】
【補正対象書類名】図面
【補正対象項目名】図３
【補正方法】変更
【補正の内容】
【図３】
2004106145.tif 000010